(57)【要約】【目的】  島台内の熱を確実に外部に放出することができ、且つ、天井板上への物の載置を可能にした上で天井板からの異物を挿入する不正行為を回避することができる遊技島台を提供する。【解決手段】  天井板３０の取付状態において、パチンコ機２が列設される側となる遊技島台１の短手方向の両端側には、それぞれ平坦面部３１が配置され、各平坦面部３１間となる遊技島台１の短手方向のほぼ中央位置には、断面凸形状の突出部３２が遊技島台１の長手方向に沿って条設される。そして、遊技島台１の内部で発生した熱を、突出部３２の両側壁に並列状態で穿設された複数の放熱穴を通して遊技島台１の上端から外部に放出する。これにより、島台内の熱を確実に外部に放出することができ、且つ、天井板３０上への物の載置を可能にした上で天井板３０からの異物を挿入する不正行為を回避することができる。【選択図】        図４
2015024248.tif 000002
【特許請求の範囲】
【請求項１】
直方体状に枠組み形成されると共にその上面開口を被覆する天井板が該直方体状の長手方向に沿って取り付けられて、複数の遊技機を列設する遊技島台において、
前記天井板は、前記直方体状の短手方向の側方から見た形状が平坦な面形状に形成されると共に前記遊技島台の短手方向の両端側に配される左右の平坦面部と、
該左右の平坦面部の間で、該左右の平坦面部に対して垂直に立設される左右の側壁と該左右の側壁の上端が平坦状の上面壁によって連結された突出部と、からなり、
前記突出部を形成する前記側壁には、前記遊技島台の内部で発生した熱を外部に放出する放熱穴が穿設されていることを特徴とする遊技島台。
【請求項２】
前記放熱穴は、その下端部分が前記平坦面部の上面から所定の高さ寸法離れた位置に設けられていることを特徴とする請求項１記載の遊技島台。
【請求項３】
前記天井板は、前記平坦面部が形成された平坦面部材と、該平坦面部材とは別体であって前記突出部が形成された突出部材と、からなり、
前記平坦面部材には、前記突出部の両側壁と嵌合して前記突出部材を着脱自在に取り付ける取付凸部が突設されると共に、前記突出部材との取り付け状態で前記突出部に被覆され且つ前記放熱穴と連通する開口が穿設されることを特徴とする請求項１又は請求項２記載の遊技島台。
【請求項４】
前記天井板は、前記平坦面部が形成された左右の平板と該左右の平板がそれぞれ両側端上面に固定して取り付けられる連結板とから構成される平坦面部材と、該平坦面部材とは別体であって前記突出部が形成された突出部材と、からなり、
前記連結板には、前記左右の平板との間に形成される断面凹部分に前記突出部の両側壁が内嵌することで前記突出部材が着脱自在に取り付けられると共に、前記突出部材との取り付け状態で前記突出部に被覆され且つ前記放熱穴と連通する開口が穿設されることを特徴とする請求項１又は請求項２記載の遊技島台。
【請求項５】
前記遊技島台は、
前記遊技機の裏面側から排出された使用済みのパチンコ玉を回収する回収樋と、
該回収樋によって回収されたパチンコ玉を揚送する玉揚送装置と、
該玉揚送装置によって揚送されたパチンコ玉を貯留する上部タンクと、
該上部タンクと前記遊技島台の島端との間の遊技島台の上面に配置されて前記上部タンクからのパチンコ玉を補給接続レールを介して受け入れる補給中継タンクと、
該補給中継タンクから前記上部タンク方向に向けて下り傾斜して設けられ、前記補給中継タンクのパチンコ玉を前記補給中継タンクと前記上部タンクとの間に配置される前記遊技機に誘導する第１補給樋と、
前記補給中継タンクから前記遊技島台の島端方向に向けて下り傾斜して設けられ、前記補給中継タンクのパチンコ玉を前記補給中継タンクと前記遊技島台の島端との間に配置される前記遊技機に誘導する第２補給樋と、を備え、
前記平坦面部材と前記突出部材とからなる前記天井板は、複数に分割して前記上面開口を被覆するように取り付けられ、
前記平坦面部材は、その長手方向に沿って前記開口が複数穿設され、該複数の開口は、前記平坦面部材の長手方向の一端部分から切り欠かれた状態にある切欠開口を含み、該切欠開口は、前記平坦面部材が前記遊技島台の上面に取り付けられた状態で、前記補給中継タンクの外形を外嵌し得る形状に形成されていることを特徴とする請求項３又は請求項４記載の遊技島台。
【発明の詳細な説明】
【技術分野】
【０００１】
本発明は、直方体状に枠組み形成されると共にその上面開口を被覆する天井板が該直方体状の長手方向に沿って取り付けられて、複数の遊技機を列設する遊技島台に関するものである。
【背景技術】
【０００２】
従来、一般に、複数の遊技機（例えば、パチンコ機）を列設する遊技島台では、その狭い内部空間に、補給樋、賞球装置、配線、基板等の多くの機器が配置されている。そして、遊技島台の内部空間に配置された多くの機器からは、熱が発せられ、これによって内部空間の上部から徐々に熱がこもることになる。このため、内部空間にこもった熱によって島台内の機器に悪影響が及ぼさないように、遊技島台の上部から内部空間の熱を外部に放出するようにした遊技島台（例えば、特許文献１に開示されたパチンコ島台や、特許文献２に開示された遊技機設置島等）が提案されている。
特許文献１のパチンコ島台では、天井板にファン装置を設けることで、島台内の熱を外部に放出するようになっている。一方、特許文献２の遊技機設置島では、当該設置島の下部及び上部に設けられる腰板部分及び幕板部分に通気口を穿設することで、設置島内の熱を外部に放出するようになっている。
【先行技術文献】
【特許文献】
【０００３】
【特許文献１】特開平９−１６８６６２号公報（図４）
【特許文献２】特開２００４−１０５６５３号公報（図５）
【発明の概要】
【発明が解決しようとする課題】
【０００４】
ところが、上記特許文献１のパチンコ島台では、ファン装置用の通気口となる開口部を天井板に設ける必要がある。このため、パチンコ島台の上方からゴミ、埃、あるいは天井板上に載せておいた小物等が開口部を通って島台内に入り込み易くなってしまうという問題が生じる。なお、遊技場内では、遊技者の手荷物等を置いておく場所があまり設けられていないので、遊技者によって天井板の上に手荷物等が置かれることがよくある。従って、天井板上に飲み物の容器が載置され、振動等によって容器内の水分が誤って零れてしまうようなときには、その水分が開口部を通って島台内の機器にかかってしまい、最悪の場合、島台内の機器に悪影響を及ぼすという問題が生じる。また、天井板上に載置した物が比較的大きな物の場合、その載置した物によって開口部を塞いでしまい、ファン装置による熱の放出が阻害されてしまうという問題が生じる。
また、特許文献２の遊技機設置島では、遊技機の上方位置の幕板部分に一方の通気口を設けている。言い換えれば、遊技者が容易に手の届く位置に通気口を設けている。このため、通気口から不正具を通すことにより設置島内への悪戯や不正行為が簡単に行われてしまい、セキュリティの面で問題がある。
本発明は、上記した事情に鑑みなされたもので、その目的とするところは、島台内の熱を確実に外部に放出することができ、且つ、天井板上への物の載置を可能にした上で天井板からの異物を挿入する不正行為を回避することができる遊技島台を提供することにある。
【課題を解決するための手段】
【０００５】
上記した目的を達成するために、請求項１の発明においては、直方体状に枠組み形成されると共にその上面開口を被覆する天井板が該直方体状の長手方向に沿って取り付けられて、複数の遊技機を列設する遊技島台において、前記天井板は、前記直方体状の短手方向の側方から見た形状が平坦な面形状に形成されると共に前記遊技島台の短手方向の両端側に配される左右の平坦面部と、該左右の平坦面部の間で、該左右の平坦面部に対して垂直に立設される左右の側壁と該左右の側壁の上端が平坦状の上面壁によって連結された突出部と、からなり、前記突出部を形成する前記側壁には、前記遊技島台の内部で発生した熱を外部に放出する放熱穴が穿設されていることを特徴とする。
【０００６】
また、請求項２の発明においては、請求項１記載の遊技島台において、前記放熱穴は、その下端部分が前記平坦面部の上面から所定の高さ寸法離れた位置に設けられていることを特徴とする。
【０００７】
また、請求項３の発明においては、請求項１又は請求項２記載の遊技島台において、前記天井板は、前記平坦面部が形成された平坦面部材と、該平坦面部材とは別体であって前記突出部が形成された突出部材と、からなり、前記平坦面部材には、前記突出部の両側壁と嵌合して前記突出部材を着脱自在に取り付ける取付凸部が突設されると共に、前記突出部材との取り付け状態で前記突出部に被覆され且つ前記放熱穴と連通する開口が穿設されることを特徴とする。
【０００８】
また、請求項４の発明においては、請求項１又は請求項２記載の遊技島台において、前記天井板は、前記平坦面部が形成された左右の平板と該左右の平板がそれぞれ両側端上面に固定して取り付けられる連結板とから構成される平坦面部材と、該平坦面部材とは別体であって前記突出部が形成された突出部材と、からなり、前記連結板には、前記左右の平板との間に形成される断面凹部分に前記突出部の両側壁が内嵌することで前記突出部材が着脱自在に取り付けられると共に、前記突出部材との取り付け状態で前記突出部に被覆され且つ前記放熱穴と連通する開口が穿設されることを特徴とする。
【０００９】
また、請求項５の発明においては、請求項３又は請求項４記載の遊技島台において、前記遊技島台は、前記遊技機の裏面側から排出された使用済みのパチンコ玉を回収する回収樋と、該回収樋によって回収されたパチンコ玉を揚送する玉揚送装置と、該玉揚送装置によって揚送されたパチンコ玉を貯留する上部タンクと、該上部タンクと前記遊技島台の島端との間の遊技島台の上面に配置されて前記上部タンクからのパチンコ玉を補給接続レールを介して受け入れる補給中継タンクと、該補給中継タンクから前記上部タンク方向に向けて下り傾斜して設けられ、前記補給中継タンクのパチンコ玉を前記補給中継タンクと前記上部タンクとの間に配置される前記遊技機に誘導する第１補給樋と、前記補給中継タンクから前記遊技島台の島端方向に向けて下り傾斜して設けられ、前記補給中継タンクのパチンコ玉を前記補給中継タンクと前記遊技島台の島端との間に配置される前記遊技機に誘導する第２補給樋と、を備え、前記平坦面部材と前記突出部材とからなる前記天井板は、複数に分割して前記上面開口を被覆するように取り付けられ、前記平坦面部材は、その長手方向に沿って前記開口が複数穿設され、該複数の開口は、前記平坦面部材の長手方向の一端部分から切り欠かれた状態にある切欠開口を含み、該切欠開口は、前記平坦面部材が前記遊技島台の上面に取り付けられた状態で、前記補給中継タンクの外形を外嵌し得る形状に形成されていることを特徴とする。
【発明の効果】
【００１０】
請求項１の発明においては、天井板の取付状態において、遊技機が列設される側となる遊技島台の短手方向の両端側には、それぞれ平坦面部が配置される。このため、遊技者は、手荷物等を平坦面部上に載置することができる。また、各平坦面部間となる遊技島台の短手方向のほぼ中央位置には、断面凸形状の突出部が遊技島台の長手方向に沿って条設される。これにより、遊技島台の内部で発生した熱は、突出部に穿設された放熱穴を通って遊技島台の上端から外部に放出される。また、このような放熱穴は、上方に向けて開口するのではなく、断面凸形状の突出部の側壁に穿設されているので、ゴミ、埃、あるいは天井板上に載せておいた小物等が放熱穴を通って島台内に入り込み難くできる。さらには、放熱穴が穿設される突出部の側壁は、遊技機が設置される位置、言い換えれば、遊技者が容易に手の届く位置から奥まった遊技島台の上端中央に配置されるので、放熱穴を通した島台内への悪戯や不正行為が行われ難くなっている。その結果、島台内の熱を確実に外部に放出することができ、且つ、天井板上への物の載置を可能にした上で天井板からの異物を挿入する不正行為を回避することができる。
【００１１】
また、請求項２の発明においては、放熱穴の下端部分を平坦面部の上面から所定の高さ寸法離れた位置に設けることで、遊技者が平坦面部上に飲み物の容器を載置した際に、振動等によって容器内の水分が誤って零れてしまうような場合でも、その水分が放熱穴を通って遊技島台の内部に入り込んでしまうことを回避することができる。このため、水分が遊技島台内の機器（例えば、補給樋、賞球装置、配線、基板等）にかかって当該機器に悪影響を及ぼすという不具合を回避することができる。
【００１２】
また、請求項３の発明においては、平坦面部材と突出部材との組み付けによって天井板を構成して、遊技島台の内部で発生した熱を、平坦面部材の開口から突出部材の放熱穴を通して遊技島台の外部に放出する。この構成において、突出部材は、突出部の両側壁が平坦面部材の取付凸部と嵌合されて平坦面部材に着脱自在に取り付けられる。このため、遊技島台の上面側から島台内部を点検する際には、平坦面部材から突出部材を取り外して平坦面部材の開口を通して島台内部を点検することができるので、点検作業を容易に行うことができる。
【００１３】
また、請求項４の発明においては、左右の平板及び連結板からなる平坦面部材と突出部材との組み付けによって天井板を構成して、遊技島台の内部で発生した熱を、連結板の開口から突出部材の放熱穴を通して遊技島台の外部に放出する。この構成において、突出部材は、突出部の両側壁が左右の平板及び連結板によって形成される断面凹部分に内嵌して着脱自在に取り付けられる。このため、遊技島台の上面側から島台内部を点検する際には、平坦面部材から突出部材を取り外して連結板の開口を通して島台内部を点検することができるので、点検作業を容易に行うことができる。また、この構成によれば、直方体状の遊技島台の短手方向の幅寸法に応じて左右の平板の幅寸法を変更するだけで、天井板の幅寸法を遊技島台に合わせることができるので、簡単な幅寸法の変更によって様々な幅寸法の遊技島台に対応し得る天井板の構成とすることができる。
【００１４】
また、請求項５の発明においては、上部タンクと島端との間の遊技島台上面に補給中継タンクを配置すると共に、上部タンクからのパチンコ玉を補給接続レールを介して補給中継タンクに送り込む。そして、補給中継タンクから上部タンク方向に向けて下り傾斜する第１補給樋と、補給中継タンクから島端方向に向けて下り傾斜する第２補給樋と、を介して補給中継タンクに送り込まれたパチンコ玉を遊技機に誘導する。即ち、上部タンクと島端との間である遊技島台の片側領域に２本の補給樋（第１及び第２の補給樋）を設ける。このように片側領域に２本の補給樋を設けた場合、補給樋の傾斜角度を一定にする（パチンコ玉をスムーズに転動できる必要最低限の傾斜角度とする）ことを前提にすると、上部タンクから島端に向けて下り傾斜した１本の補給樋を片側領域に設ける構成に比べて、補給樋を収納するスペースの高さ寸法を低く抑えることができる。このため、遊技島台は、補給樋の収納スペースの高さ寸法を低くすることで、その分、島台自体の高さ寸法を低く設定できる。
また、このような遊技島台の構成において、天井板を構成する平坦面部材は、補給中継タンクの外形を外嵌し得る形状となる切込開口が平坦面部材の長手方向の一端部分から切り欠かれた状態で穿設されている。このため、補給中継タンクを設けた遊技島台の上面開口を天井板で被覆する際には、平坦面部材の切欠開口を補給中継タンクに外嵌して取り付けることができるので、補給中継タンクの配置部分となる上面開口を被覆するための部材を別途設ける必要がない。
【図面の簡単な説明】
【００１５】
【図１】遊技島台の概略を示す正面図である。
【図２】遊技島台の内部構造の概略を示す正面図である。
【図３】２本の補給樋が設けられた片側領域と１本の補給樋が設けられた片側領域とを備えた遊技島台の概略を示す正面図である。
【図４】天井板が取り付けられた遊技島台を示す縦断面図である。
【図５】同図（Ａ）は天井板を示す斜視図であり、同図（Ｂ）は天井板を示す正面図である。
【図６】同図（Ａ），（Ｂ）はそれぞれ天井板ユニットを示す分解斜視図であり、同図（Ｃ）〜（Ｆ）はそれぞれ天井板ユニットを示す縦断面図である。
【図７】天井板ユニットの取付手順を示す斜視図である。
【図８】同図（Ａ），（Ｂ）はそれぞれ天井板ユニットの取付手順を示す斜視図である。
【図９】同図（Ａ），（Ｂ）はそれぞれ変形例の天井板ユニットを示す分解斜視図であり、同図（Ｃ）〜（Ｆ）はそれぞれ変形例の天井板ユニットを示す縦断面図である。
【図１０】同図（Ａ）は変形例の天井板が取り付けられた遊技島台を示す縦断面図であり、同図（Ｂ）は変形例の天井板が取り付けられた遊技島台の上側部分を示す拡大縦断面図である。
【図１１】同図（Ａ），（Ｂ）はそれぞれ変形例の天井板ユニットを示す分解斜視図であり、同図（Ｃ）〜（Ｆ）はそれぞれ変形例の天井板ユニットを示す縦断面図である。
【発明を実施するための形態】
【００１６】
以下、図面を参照して本発明の実施形態について説明する。まず、図１乃至図３を参照して実施形態に係る遊技島台１について説明する。図１は、遊技島台１の概略を示す正面図である。図２は、遊技島台１の内部構造の概略を示す正面図である。図３は、２本の補給樋１６ａ，１６ｂが設けられた片側領域と１本の補給樋１６’が設けられた片側領域とを備えた遊技島台１’の概略を示す正面図である。なお、本実施形態における遊技島台１に設置される遊技機としてパチンコ機２が設置された場合で説明するが、パチンコ玉を使用して遊技を行う遊技機であれば、どのような遊技機が設置されるものであってもよい。
【００１７】
図１において、遊技島台１は、周知のようにそのほぼ中央側面に複数のパチンコ機２と玉貸機３とを交互に列設するように直方体状に枠組み形成され、パチンコ機２の列設位置の下方に外側に突出するカウンター台４を挟んで腰板５が設けられている。一方、各パチンコ機２の上部には、呼出ランプ装置６が取り付けられる装飾板７が設けられ、更にその上部に開閉自在な幕板８が設けられている。また、遊技島台１には、パチンコ機２で使用するパチンコ玉を貯留するための上部タンク９が当該遊技島台１の長手方向のほぼ中央上端に設けられると共に、遊技者が獲得したパチンコ玉を返却するための玉返却装置１０がその島端（必ずしも島端でなくてもよい、例えば、島中央）に設けられている。また、遊技島台１の長手方向の両端外部には、それぞれ各種情報（例えば、玉詰まり情報等）を遊技場側の従業員に報知するための表示装置１１が設けられている。
【００１８】
遊技島台１の内部には、図２に示すように、その下方部に各パチンコ機２から排出されるパチンコ玉を受け入れ且つ当該遊技島台１で営業中に必要とされ得る玉量を貯留する下部貯留タンク１２が設けられており、遊技島台１の長手方向のほぼ中央には、下部貯留タンク１２に貯留されたパチンコ玉を導き入れて上部タンク９に揚送する玉揚送装置１３が設けられている。本実施形態における玉揚送装置１３は、モータによって回転する革ベルトの旋回運動によってパチンコ玉を揚送するものであり、その揚送中に革ベルトに対面して設けられる研磨布とパチンコ玉とが接触してパチンコ玉を研磨しながら上部タンク９に揚送する。玉揚送装置１３に揚送されたパチンコ玉は、一旦、上部タンク９に貯留され、該上部タンク９の両側部から補給接続レール１４及び補給中継タンク１５を介して補給樋１６に供給される。補給中継タンク１５は、上部タンク９（玉揚送装置１３）を境とした遊技島台１の左右両側部分における各真ん中位置の上端に配置されており、補給樋１６は、補給中継タンク１５から遊技島台１の中央側（玉揚送装置１３側）に下り傾斜したもの（補給樋１６ａ）と、補給中継タンク１５から遊技島台１の島端側に下り傾斜したもの（補給樋１６ｂ）とがある。
【００１９】
補給樋１６には、分岐装置１７が設けられ、その分岐装置１７によって分岐されたパチンコ玉が分岐装置１７に接続されるスプリングホース１８から賞球補給装置１９を介して各パチンコ機２の背面上部に設けられる賞球タンクに供給される。また、各パチンコ機２で使用されたパチンコ玉は、遊技島台１の裏面下部に取り付けられるアウト玉タンク２０に放出された後、遊技島台１の島端から中央に向かって下り傾斜して配置された回収樋２１によって回収される。そして、回収樋２１で回収されたパチンコ玉は、下部貯留タンク１２に導かれて該下部貯留タンク１２内に貯留された後、前述したように玉揚送装置１３によって上部タンク９に向けて研磨揚送される。つまり、パチンコ玉は、遊技島台１の内部を循環して使用される。
【００２０】
ところで、本実施形態に係る遊技島台１は、上記したように上部タンク９（玉揚送装置１３）を境とした片側の領域（以下、これを片側領域という）で、補給中継タンク１５を介して左右の補給樋１６ａ，１６ｂからパチンコ機２にパチンコ玉を供給するようになっている。ここで、２本の補給樋を設けた片側領域と、１本の補給樋を設けた片側領域と、の違いを図３に示す遊技島台１’の例示によって説明する。なお、遊技島台１’は、一方の片側領域（図３に示す左の片側領域）に２本の補給樋１６ａ，１６ｂを設ける一方、他方の片側領域（図３に示す右の片側領域）に１本の補給樋１６’を設けた仮想の遊技島台である。図３に示すように、片側領域に２本の補給樋１６ａ，１６ｂを設ける構成は、補給樋の傾斜角度を一定にする（パチンコ玉をスムーズに転動できる必要最低限の傾斜角度とする）ことを前提として、片側領域に上部タンク９から島端方向に向けて下り傾斜した１本の補給樋１６’を設ける構成に比べて、補給樋を収納するスペースの高さ寸法を低く抑えることができる。即ち、２本の補給樋１６ａ，１６ｂを収容するスペースの高さ寸法Ｈ１は、１本の補給樋１６’を収容するスペースの高さ寸法Ｈ２よりも小さい値となる（Ｈ１＜Ｈ２）。このため、本実施形態の遊技島台１は、補給樋１６ａ，１６ｂの収納スペースの高さ寸法を低くすることで、その分、島台自体の高さ寸法を低く設定できるようになっている。
【００２１】
また、直方体状に枠組み形成された遊技島台１は、その上壁部分に本実施形態の要部を構成する天井板３０が設けられている。以下、天井板３０について、図４及び図５を参照して説明する。図４は、天井板３０が取り付けられた遊技島台１を示す縦断面図である。図５（Ａ）は、天井板３０を示す斜視図であり、図５（Ｂ）は、天井板３０を示す正面図である。
【００２２】
図４及び図５に示すように、天井板３０は、横長方形の外形形状に形成されており、直方体状の遊技島台１における短手方向の側方から見た形状が平坦な面形状に形成された左右の平坦面部３１と、該左右の平坦面部３１の間で、該左右の平坦面部３１に対して垂直に立設される左右の側壁と該左右の側壁の上端が平坦状の上面壁によって連結された断面凸形状の突出部３２と、を備えている。断面凸形状の突出部３２を形成する両側壁には、それぞれ斜め縦長の平行四辺形状をなす複数の放熱穴３３が並列状態で穿設されている。そして、天井板３０は、上部タンク９及び補給中継タンク１５を除いた遊技島台１の上面開口を被覆するように遊技島台１の長手方向に沿って複数枚が並んで取り付けられるようになっている。また、このようにして取り付けられた複数枚の天井板３０によって、遊技島台１の上面部分には、その長手方向に沿って延びる一条の突出部３２が設けられる。
【００２３】
しかして、本実施形態の遊技島台１は、その上面開口が遊技島台１の長手方向に沿って並設された複数枚の天井板３０によって被覆される。そして、この天井板３０の取付状態において、パチンコ機２が列設される側となる遊技島台１の短手方向の両端側には、それぞれ平坦面部３１が配置される。このため、遊技者は、手荷物等を平坦面部３１上に載置することができる。また、各平坦面部３１間となる遊技島台１の短手方向のほぼ中央位置には、断面凸形状の突出部３２が遊技島台１の長手方向に沿って条設される。これにより、遊技島台１の内部で発生した熱は、突出部３２の両側壁に並列状態で穿設された複数の放熱穴３３を通って遊技島台１の上端から外部に放出されるようになっている。
【００２４】
なお、島台内の熱を外部に放出するための放熱穴３３は、上方に向けて開口するのではなく、断面凸形状の突出部３２の側壁に穿設されているので、ゴミ、埃、あるいは天井板３０（平坦面部３１）上に載せておいた小物等が放熱穴３３を通って島台内に入り込み難くできる。さらには、放熱穴３３が穿設される突出部３２の側壁は、パチンコ機２が設置される位置、言い換えれば、遊技者が容易に手の届く位置から奥まった遊技島台１の上端中央に配置されるので、放熱穴３３を通した島台内への悪戯や不正行為が行われ難くなっている。その結果、島台内の熱を確実に外部に放出することができ、且つ、天井板３０上への物の載置を可能にした上で天井板３０からの異物を挿入する不正行為を回避することができる。
【００２５】
また、放熱穴３３は、その下端部分が平坦面部３１の上面から所定の高さ寸法Ｈ（図５（Ａ）参照）離れた位置に設けられている。このため、遊技者が平坦面部３１上に飲み物の容器を載置した際に、振動等によって容器内の水分が誤って零れてしまうような場合でも、その水分が放熱穴３３を通って遊技島台１の内部に入り込んでしまうことを回避することができ、結果として、水分が遊技島台１内の機器（例えば、補給樋、賞球装置、配線、基板等）にかかって、当該機器に悪影響を及ぼすという不具合を回避することができる。
【００２６】
なお、補給中継タンク１５を設けた遊技島台１の上面開口を天井板３０で被覆する構成においては、補給中継タンク１５の配置部分となる上面開口（具体的には、遊技島台１の短手方向の両端側となる補給中継タンク１５の両側部分）を被覆するための部材を別途設ける必要がある。
【００２７】
ところで、上記した実施形態では、遊技島台の上面開口を被覆する天井板として、左右の平坦面部とその間に突設された突出部とが一体的に設けられたものを例示しているが、この構成に限定するものではない。以下、左右の平坦面部と突出部とが別体に設けられた天井板の構成（以下、これを天井板ユニットという）について、図６乃至図９を参照して説明する。図６（Ａ），（Ｂ）は、それぞれ天井板ユニット４０を示す分解斜視図であり、図６（Ｃ）〜（Ｆ）は、それぞれ天井板ユニット４０を示す縦断面図である。図７及び図８（Ａ），（Ｂ）は、それぞれ天井板ユニット４０の取付手順を示す斜視図である。図９（Ａ），（Ｂ）は、それぞれ変形例の天井板ユニット５０を示す分解斜視図であり、図９（Ｃ）〜（Ｆ）は、それぞれ変形例の天井板ユニット５０を示す縦断面図である。
【００２８】
図６（Ａ），（Ｂ）に示すように、天井板ユニット４０は、横長方形の外形形状で且つ平坦な面形状をなす平坦面部４２が形成された平坦面部材４１と、該平坦面部材４１とは別体に設けられると共に断面凸形状をなす突出部４６が形成された突出部材４５と、を備えている。横長方形の平坦面部材４１（平坦面部４２）には、その長手方向に沿って並列状態で穿設された複数（図６（Ａ）中には２つ、図６（Ｂ）中には３つ）の通気口４３（開口）が穿設されている。通気口４３は、ほぼ正方形の開口形状をなし、平坦面部４２の短手方向となる両端部分には、突出部材４５を平坦面部材４１に着脱自在に取り付けるための取付凸部４４が突設されている。
【００２９】
平坦面部材４１は、図６（Ａ）に示すように２つの通気口４３が穿設されたタイプ（以下、これを平坦面部材４１ａともいう）と、図６（Ｂ）に示すように３つの通気口４３が穿設されたタイプ（以下、これを平坦面部材４１ｂともいう）と、の２種類があり、図６（Ｂ）に示す平坦面部材４１ｂでは、３つの通気口４３のうち両端に位置する２つの通気口４３（切欠開口）が、それぞれ平坦面部４２の長手方向における両端部分から切り欠かれた状態になっている。一方、突出部材４５は、断面凸形状の突出部４６を形成する両側壁にそれぞれ斜め縦長の平行四辺形状をなす複数の放熱穴４７が並列状態で穿設されている。また、放熱穴４７は、前述した天井板３０の放熱穴３３と同様に、その下端部分が平坦面部４２の上面から所定の高さ寸法離れるように、突出部４６の側壁の下端から所定の高さ寸法離れた位置に設けられている。
【００３０】
そして、天井板ユニット４０は、図６（Ｃ），（Ｄ）及び図６（Ｅ），（Ｆ）に示すように、突出部材４５（突出部４６）の両側壁の内面部分が平坦面部材４１の取付凸部４４と嵌合することで、通気口４３を上方から被覆するように、突出部材４５が平坦面部材４１の上面部分に組み付けられる。ここで、天井板ユニット４０の取付手順について説明すると、先ず、図７に示すように、遊技島台１の上面開口が開放した状態、即ち、補給中継タンク１５を介して補給接続レール１４が接続される補給樋１６（１６ａ，１６ｂ）が外部に露出した状態から、図８（Ａ）に示すように、一端側の通気口４３が補給中継タンク１５の外形部分を内嵌するようにして平坦面部材４１ｂが遊技島台１の上面に取り付けられる。なお、図８（Ａ）中には、便宜的に取付凸部４４がない平坦面部材４１を図示する。
【００３１】
次に、図８（Ｂ）に示すように、平坦面部４２に穿設された通気口４３を上方から被覆するように突出部材４５を平坦面部材４１に取り付ける。次いで、遊技島台１の上面に取り付けられた平坦面部材４１ｂの長手方向の両端に、それぞれ平坦面部材４１ａを隣接して取り付けると共に、該平坦面部材４１ａの通気口４３を上方から被覆するように突出部材４５を取り付ける。これにより、平坦面部材４１ｂの両端に設けられた通気口４３の切欠部分（切欠開口）は、平坦面部材４１ａの長手方向の一側端部分で閉じられた状態となり、平坦面部材４１ａ及び平坦面部材４１ｂの隣接した取り付けによって、ほぼ正方形状の通気口４３が遊技島台１の長手方向に沿って並設される。その後は、遊技島台１の上面開口を全て被覆するように平坦面部材４１ａ及び平坦面部材４１ｂを交互に取り付けると共に、各平坦面部材４１ａ，４１ｂの通気口４３を覆うように突出部材４５を取り付けることで、遊技島台１の上面に複数の天井板ユニット４０が並列状態で取り付けられる。
【００３２】
しかして、天井板ユニット４０の取付状態において、パチンコ機２が列設される側となる遊技島台１の短手方向の両端側には、それぞれ平坦面部材４１の平坦面部４２が配置されるため、遊技者は、手荷物等を平坦面部４２上に載置することができる。また、遊技島台１の短手方向のほぼ中央位置には、断面凸形状に形成された突出部材４５の突出部４６が遊技島台１の長手方向に沿って条設されるので、遊技島台１の内部で発生した熱は、平坦面部材４１の通気口４３から突出部材４５の放熱穴４７を通って遊技島台１の上端から外部に放出されるようになっている。
【００３３】
なお、天井板ユニット４０においても、前述した天井板３０と同様に、ゴミ、埃、あるいは天井板ユニット４０（平坦面部４２）上に載せておいた小物や容器内の水分等が放熱穴４７を通って島台内に入り込み難くでき、然も、放熱穴４７を通した島台内への悪戯や不正行為が行われ難くなっているので、島台内の熱を確実に外部に放出することができ、且つ、天井板ユニット４０上への物の載置を可能にした上で天井板ユニット４０からの異物を挿入する不正行為を回避することができる。
【００３４】
また、天井板ユニット４０の構成によれば、突出部４６の両側壁が平坦面部材４１の取付凸部４４と嵌合されることで、突出部材４５が平坦面部材４１に着脱自在に取り付けられる。このため、遊技島台１の上面側から島台内部を点検する際には、平坦面部材４１から突出部材４５を取り外して通気口４３を通して島台内部を点検することができるので、点検作業を容易に行うことができる。
【００３５】
さらに、天井板ユニット４０を構成する平坦面部材４１ｂには、補給中継タンク１５の外形を外嵌し得る形状となる切込開口としての通気口４３が平坦面部材４１ｂの長手方向の一端部分から切り欠かれた状態で穿設されている。このため、補給中継タンク１５を設けた遊技島台１の上面開口を天井板ユニット４０で被覆する際には、平坦面部材４１ｂの通気口４３を補給中継タンク１５に外嵌して取り付けることができるので、補給中継タンク１５の配置部分となる上面開口を被覆するための部材を別途設ける必要がない。
【００３６】
ところで、上記した天井板ユニット４０は、平坦面部材４１と突出部材４５との２部品の組み付けによって構成されているが、この構成に限定するものではない。例えば、図９に示すような天井板ユニット５０、あるいは図１１に示すような天井板ユニット６０の構成としてもよい。天井板ユニット５０は、図９（Ａ），（Ｂ）に示すように、横長方形の外形形状で且つ平坦な面形状をなす平坦面部５２が形成された左右２枚の平板５１ａ，５１ｂと、横長方形の外形形状に形成されると共にその長手方向に沿って並列状態で複数（図９（Ａ），（Ｂ）中には３つ）の通気口５４（開口）が穿設された連結板５３と、断面凸形状をなす突出部５６が形成された突出部材５５と、を備えている。なお、左右の平板５１ａ，５１ｂ及び連結板５３によって本発明に係る平坦面部材が構成されている。突出部材５５の突出部５６を形成する両側壁には、それぞれ斜め縦長の平行四辺形状をなす複数の放熱穴５７が並列状態で穿設されている。また、放熱穴５７は、前述した天井板ユニット４０の放熱穴４７と同様に、その下端部分が平坦面部５２の上面から所定の高さ寸法離れるように、突出部５６の側壁の下端から所定の高さ寸法離れた位置に設けられている。
【００３７】
そして、天井板ユニット５０は、図９（Ｃ），（Ｄ）及び図９（Ｅ），（Ｆ）に示すように、連結板５３の短手方向の両端上面に各平板５１ａ，５１ｂの側端部分が接着剤等によって固定される。次に、平板５１ａ，５１ｂ及び連結板５３によって形成された断面凹部分に、突出部材５５（突出部５６）の両側壁が内嵌して取り付けられることで、通気口５４を上方から被覆するように、突出部材５５が平板５１ａ，５１ｂ及び連結板５３に組み付けられる。即ち、天井板ユニット５０は、左右２枚の平板５１ａ，５１ｂと連結板５３と突出部材５５との４部品の組み付けによって構成されている。
【００３８】
しかして、天井板ユニット５０は、前述した天井板ユニット４０と同様に、ゴミ、埃、あるいは天井板ユニット５０（平坦面部５２）上に載せておいた小物や容器内の水分等が放熱穴５７を通って島台内に入り込み難くでき、然も、放熱穴５７を通した島台内への悪戯や不正行為が行われ難くなっているので、島台内の熱を確実に外部に放出することができ、且つ、天井板ユニット５０上への物の載置を可能にした上で天井板ユニット５０からの異物を挿入する不正行為を回避することができる。また、遊技島台１の上面側から島台内部を点検する際には、平板５１ａ，５１ｂ及び連結板５３から突出部材５５を取り外して通気口５４を通して島台内部を点検することができるので、点検作業を容易に行うことができる。
【００３９】
また、天井板ユニット５０の構成によれば、図１０（Ａ），（Ｂ）に示すように、直方体状の遊技島台１の短手方向の幅寸法に応じて左右の平板５１ａ，５１ｂの幅寸法を変更するだけで、天井板ユニット５０の幅寸法を遊技島台１に合わせることができるので、簡単な幅寸法の変更によって様々な幅寸法の遊技島台に対応し得る天井板ユニット５０の構成とすることができる。但し、この場合、連結板５３の上面と平板５１ａ，５１ｂの下面とを連結して天井板ユニット５０を構成するので、天井板ユニット５０の下面部分がフラットな状態でなくなってしまう。このため、天井板ユニット５０の下面側の段差部分（連結板５３の上面と平板５１ａ，５１ｂの下面との間に生じる段差）が遊技島台１を形成する島柱３４の上端部と干渉して、フラットな状態で天井板ユニット５０を遊技島台１の上面開口に載置できなくなってしまう虞が生じる。従って、天井板ユニット５０を採用した際には、島柱３４との干渉を避けるように天井板ユニット５０の下面段差部分を配置する必要、言い換えれば、天井板ユニット５０の下面段差部分が島柱３４と干渉しないような連結板５３の横幅寸法に設定する必要がある。
【００４０】
さらに、天井板ユニット５０を構成する平坦面部材（左右の平板５１ａ，５１ｂ及び連結板５３の組付体）には、補給中継タンク１５の外形を外嵌し得る形状となる切込開口としての通気口５４が平坦面部材の長手方向の一端部分から切り欠かれた状態で穿設されている。このため、補給中継タンク１５を設けた遊技島台１の上面開口を天井板ユニット５０で被覆する際には、平坦面部材の通気口５４を補給中継タンク１５に外嵌して取り付けることができるので、補給中継タンク１５の配置部分となる上面開口を被覆するための部材を別途設ける必要がない。
【００４１】
また、天井板ユニット６０は、図１１（Ａ），（Ｂ）に示すように、前述した天井板ユニット５０と同様に、横長方形の外形形状で且つ平坦な面形状をなす平坦面部６２が形成された左右２枚の平板６１ａ，６１ｂと、横長方形の外形形状に形成されると共にその長手方向に沿って並列状態で複数（図１１（Ａ），（Ｂ）中には３つ）の通気口６４（開口）が穿設された連結板６３と、断面凸形状をなす突出部６６が形成された突出部材６５と、を備えている。なお、左右の平板６１ａ，６１ｂ及び連結板６３によって本発明に係る平坦面部材が構成されている。突出部材６５の突出部６６を形成する両側壁には、それぞれ斜め縦長の平行四辺形状をなす複数の放熱穴６７が並列状態で穿設されている。また、放熱穴６７は、前述した天井板ユニット４０の放熱穴４７と同様に、その下端部分が平坦面部６２の上面から所定の高さ寸法離れるように、突出部６６の側壁の下端から所定の高さ寸法離れた位置に設けられている。さらに、天井ユニット６０は、天井板ユニット５０とは異なり、角棒形状に形成された左右２本の保持突起部材６８ａ，６８ｂを備えており、該保持突起部材６８ａ，６８ｂは、それぞれ連結板６３の長手寸法と同一の長さに形成されている。
【００４２】
そして、天井板ユニット６０は、図１１（Ｃ），（Ｄ）及び図１１（Ｅ），（Ｆ）に示すように、連結板６３の短手方向の両端上面に各平板６１ａ，６１ｂの側端部分が、また、通気口６４の両側端部分に各保持突起部材６８ａ，６８ｂがそれぞれ接着剤等によって固定される。そして、このような連結板６３に対する平板６１ａ，６１ｂ及び保持突起部材６８ａ，６８ｂの取り付けによって、通気口６４の両側端部分には、それぞれ突出部材６５（突出部６６）の両側壁を内嵌する取付凹部６９が連結板６３の長手方向に沿って条設される。次に、平板６１ａ，６１ｂ、保持突起部材６８ａ，６８ｂ、及び連結板６３によって形成された取付凹部６９に、突出部材６５（突出部６６）の両側壁が内嵌して取り付けられることで、通気口６４を上方から被覆するように、突出部材６５が平板６１ａ，６１ｂ及び連結板６３に組み付けられる。即ち、天井板ユニット６０は、左右２枚の平板６１ａ，６１ｂと左右２本の保持突起部材６８ａ，６８ｂと連結板６３と突出部材６５との６部品の組み付けによって構成されている。
【００４３】
しかして、天井板ユニット６０は、前述した天井板ユニット５０と同様に、ゴミ、埃、あるいは天井板ユニット６０（平坦面部６２）上に載せておいた小物や容器内の水分等が放熱穴６７を通って島台内に入り込み難くでき、然も、放熱穴６７を通した島台内への悪戯や不正行為が行われ難くなっているので、島台内の熱を確実に外部に放出することができ、且つ、天井板ユニット６０上への物の載置を可能にした上で天井板ユニット６０からの異物を挿入する不正行為を回避することができる。また、遊技島台１の上面側から島台内部を点検する際には、平板６１ａ，６１ｂ、保持突起部材６８ａ，６８ｂ、及び連結板６３によって形成された取付凹部６９から突出部材６５を取り外して通気口６４を通して島台内部を点検することができるので、点検作業を容易に行うことができる。
【００４４】
また、天井板ユニット６０の構成によれば、直方体状の遊技島台１の短手方向の幅寸法に応じて左右の平板６１ａ，６１ｂの幅寸法を変更するだけで、天井板ユニット６０の幅寸法を遊技島台１に合わせることができるので、簡単な幅寸法の変更によって様々な幅寸法の遊技島台に対応し得る天井板ユニット６０の構成とすることができる。
【００４５】
また、天井板ユニット６０を構成する平坦面部材（左右の平板６１ａ，６１ｂ、左右の保持突起部材６８ａ，６８ｂ、及び連結板６３の組付体）には、補給中継タンク１５の外形を外嵌し得る形状となる切込開口としての通気口６４が平坦面部材の長手方向の一端部分から切り欠かれた状態で穿設されている。このため、補給中継タンク１５を設けた遊技島台１の上面開口を天井板ユニット６０で被覆する際には、平坦面部材の通気口６４を補給中継タンク１５に外嵌して取り付けることができるので、補給中継タンク１５の配置部分となる上面開口を被覆するための部材を別途設ける必要がない。
【００４６】
さらに、天井板ユニット６０の構成によれば、平板６１ａ，６１ｂ、保持突起部材６８ａ，６８ｂ、及び連結板６３によって取付凹部６９を形成して、該取付凹部６９に対して突出部材６５の着脱を可能にしている。このため、突出部材６５を取り付ける際に、当該突出部材６５の一方の側壁下端がいずれか一方の平板６１ａ，６１ｂ上に乗り上げてしまい、突出部材６５の取り付けが不完全な状態となってしまうような不具合を回避することができ、より確実に突出部材６５の取り付けを行うことができる。
【００４７】
なお、このように天井板ユニット６０の長手方向に沿って２本の保持突起部材６８ａ，６８ｂを設ける構成は、天井板ユニット６０自体の反りを防止する効果も奏している。具体的に、従来では、本明細書の「背景技術」に記載したように、遊技島台内で発生した熱を、放熱用の通気口やファン装置を介して遊技島台の上部から外部に放出するようになっていた。しかしながら、このような構成とした場合でも、遊技島台の上面開口を閉塞する天井板は、外部に放出する熱によって若干なりとも反りが生じてしまうという問題を有していた。これに対して、天井板ユニット６０では、角棒形状の保持突起部材６８ａ，６８ｂを平板６１ａ，６１ｂ及び連結板６３の長手方向に沿って取り付けることで、当該保持突起部材６８ａ，６８ｂを補強的な部材として機能させることができる。このため、遊技島台１の内部で発生した熱を天井板ユニット６０の通気口６４及び放熱穴６７から外部に放出する構成とした場合でも、放出する熱によって天井板ユニット６０自体が反り返ってしまうような不具合を確実に回避することができる。
【符号の説明】
【００４８】
１  遊技島台
２  パチンコ機
３  玉貸機
５  腰板
７  装飾板
８  幕板
９  上部タンク
１０  玉返却装置
１２  下部貯留タンク
１３  玉揚送装置
１４  補給接続レール
１５  補給中継タンク
１６ａ  補給樋（第１補給樋）
１６ｂ  補給樋（第２補給樋）
２１  回収樋
３０  天井板
３１  基板部
３２  突出部
３３  放熱穴
４０  天井板ユニット
４１  平坦面部材
４２  平坦面部
４３  通気口（開口）
４４  取付凸部
４５  突出部材
４６  突出部
４７  放熱穴
５０  天井板ユニット
５１ａ，５１ｂ  平板
５２  平坦面部
５３  連結板
５４  通気口（開口）
５５  突出部材
５６  突出部
５７  放熱穴
【図１】
2015024248.tif 000003
【図２】
2015024248.tif 000004
【図３】
2015024248.tif 000005
【図４】
2015024248.tif 000006
【図５】
2015024248.tif 000007
【図６】
2015024248.tif 000008
【図７】
2015024248.tif 000009
【図８】
2015024248.tif 000010
【図９】
2015024248.tif 000011
【図１０】
2015024248.tif 000012
【図１１】
2015024248.tif 000013
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
直方体状に枠組み形成されると共にその上面開口を被覆する天井板が該直方体状の長手方向に沿って取り付けられて、複数の遊技機を列設する遊技島台において、
前記遊技島台は、
前記遊技機の裏面側から排出された使用済みのパチンコ玉を回収する回収樋と、
該回収樋によって回収されたパチンコ玉を揚送する玉揚送装置と、
該玉揚送装置によって揚送されたパチンコ玉を貯留する上部タンクと、
該上部タンクと前記遊技島台の島端との間の遊技島台の上面に配置されて前記上部タンクからのパチンコ玉を補給接続レールを介して受け入れる補給中継タンクと、
該補給中継タンクから前記上部タンク方向に向けて下り傾斜して設けられ、前記補給中継タンクのパチンコ玉を前記補給中継タンクと前記上部タンクとの間に配置される前記遊技機に誘導する第１補給樋と、
前記補給中継タンクから前記遊技島台の島端方向に向けて下り傾斜して設けられ、前記補給中継タンクのパチンコ玉を前記補給中継タンクと前記遊技島台の島端との間に配置される前記遊技機に誘導する第２補給樋と、を備え、
前記天井板は、前記直方体状の短手方向の側方から見た形状が平坦な面形状に形成されると共に前記遊技島台の短手方向の両端側に配される左右の平坦面部と、
該左右の平坦面部の間に立設される左右の側壁と該左右の側壁の上端が上面壁によって連結された突出部と、からなると共に複数に分割して前記上面開口を被覆するように取り付けられ、
前記突出部を形成する前記側壁には、前記遊技島台の内部で発生した熱を外部に放出する放熱穴が穿設され、
前記平坦面部は、その長手方向に沿って前記放熱穴と連通する開口が複数穿設され、該複数の開口は、前記平坦面部の長手方向の一端部分から切り欠かれた状態にある切欠開口を含み、該切欠開口は、前記平坦面部が前記遊技島台の上面に取り付けられた状態で、前記補給中継タンクの外形を外嵌し得る形状に形成されていることを特徴とする遊技島台。
【請求項２】
前記天井板は、前記平坦面部が形成された平坦面部材と、該平坦面部材とは別体であって前記突出部が形成された突出部材と、からなり、
前記平坦面部材には、前記突出部の両側壁と嵌合して前記突出部材を着脱自在に取り付ける取付凸部が突設されると共に、前記突出部材との取り付け状態で前記突出部に被覆され且つ前記放熱穴と連通する前記複数の開口が穿設されることを特徴とする請求項１記載の遊技島台。
【請求項３】
前記天井板は、前記平坦面部が形成された左右の平板と該左右の平板がそれぞれ両側端上面に固定して取り付けられる連結板とから構成される平坦面部材と、該平坦面部材とは別体であって前記突出部が形成された突出部材と、からなり、
前記連結板には、前記左右の平板との間に形成される断面凹部分に前記突出部の両側壁が内嵌することで前記突出部材が着脱自在に取り付けられると共に、前記突出部材との取り付け状態で前記突出部に被覆され且つ前記放熱穴と連通する前記複数の開口が穿設されることを特徴とする請求項１記載の遊技島台。
【手続補正２】
【補正対象書類名】明細書
【補正対象項目名】０００５
【補正方法】変更
【補正の内容】
【０００５】
上記した目的を達成するために、請求項１の発明においては、直方体状に枠組み形成されると共にその上面開口を被覆する天井板が該直方体状の長手方向に沿って取り付けられて、複数の遊技機を列設する遊技島台において、前記遊技島台は、前記遊技機の裏面側から排出された使用済みのパチンコ玉を回収する回収樋と、該回収樋によって回収されたパチンコ玉を揚送する玉揚送装置と、該玉揚送装置によって揚送されたパチンコ玉を貯留する上部タンクと、該上部タンクと前記遊技島台の島端との間の遊技島台の上面に配置されて前記上部タンクからのパチンコ玉を補給接続レールを介して受け入れる補給中継タンクと、該補給中継タンクから前記上部タンク方向に向けて下り傾斜して設けられ、前記補給中継タンクのパチンコ玉を前記補給中継タンクと前記上部タンクとの間に配置される前記遊技機に誘導する第１補給樋と、前記補給中継タンクから前記遊技島台の島端方向に向けて下り傾斜して設けられ、前記補給中継タンクのパチンコ玉を前記補給中継タンクと前記遊技島台の島端との間に配置される前記遊技機に誘導する第２補給樋と、を備え、前記天井板は、前記直方体状の短手方向の側方から見た形状が平坦な面形状に形成されると共に前記遊技島台の短手方向の両端側に配される左右の平坦面部と、該左右の平坦面部の間に立設される左右の側壁と該左右の側壁の上端が上面壁によって連結された突出部と、からなると共に複数に分割して前記上面開口を被覆するように取り付けられ、前記突出部を形成する前記側壁には、前記遊技島台の内部で発生した熱を外部に放出する放熱穴が穿設され、前記平坦面部は、その長手方向に沿って前記放熱穴と連通する開口が複数穿設され、該複数の開口は、前記平坦面部の長手方向の一端部分から切り欠かれた状態にある切欠開口を含み、該切欠開口は、前記平坦面部が前記遊技島台の上面に取り付けられた状態で、前記補給中継タンクの外形を外嵌し得る形状に形成されていることを特徴とする。
【手続補正３】
【補正対象書類名】明細書
【補正対象項目名】０００６
【補正方法】変更
【補正の内容】
【０００６】
また、請求項２の発明においては、請求項１記載の遊技島台において、前記天井板は、前記平坦面部が形成された平坦面部材と、該平坦面部材とは別体であって前記突出部が形成された突出部材と、からなり、前記平坦面部材には、前記突出部の両側壁と嵌合して前記突出部材を着脱自在に取り付ける取付凸部が突設されると共に、前記突出部材との取り付け状態で前記突出部に被覆され且つ前記放熱穴と連通する前記複数の開口が穿設されることを特徴とする。
【手続補正４】
【補正対象書類名】明細書
【補正対象項目名】０００７
【補正方法】変更
【補正の内容】
【０００７】
また、請求項３の発明においては、請求項１記載の遊技島台において、前記天井板は、前記平坦面部が形成された左右の平板と該左右の平板がそれぞれ両側端上面に固定して取り付けられる連結板とから構成される平坦面部材と、該平坦面部材とは別体であって前記突出部が形成された突出部材と、からなり、前記連結板には、前記左右の平板との間に形成される断面凹部分に前記突出部の両側壁が内嵌することで前記突出部材が着脱自在に取り付けられると共に、前記突出部材との取り付け状態で前記突出部に被覆され且つ前記放熱穴と連通する前記複数の開口が穿設されることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
また、上部タンクと島端との間の遊技島台上面に補給中継タンクを配置すると共に、上部タンクからのパチンコ玉を補給接続レールを介して補給中継タンクに送り込む。そして、補給中継タンクから上部タンク方向に向けて下り傾斜する第１補給樋と、補給中継タンクから島端方向に向けて下り傾斜する第２補給樋と、を介して補給中継タンクに送り込まれたパチンコ玉を遊技機に誘導する。即ち、上部タンクと島端との間である遊技島台の片側領域に２本の補給樋（第１及び第２の補給樋）を設ける。このように片側領域に２本の補給樋を設けた場合、補給樋の傾斜角度を一定にする（パチンコ玉をスムーズに転動できる必要最低限の傾斜角度とする）ことを前提にすると、上部タンクから島端に向けて下り傾斜した１本の補給樋を片側領域に設ける構成に比べて、補給樋を収納するスペースの高さ寸法を低く抑えることができる。このため、遊技島台は、補給樋の収納スペースの高さ寸法を低くすることで、その分、島台自体の高さ寸法を低く設定できる。
また、このような遊技島台の構成において、天井板を構成する平坦面部は、補給中継タンクの外形を外嵌し得る形状となる切込開口が平坦面部の長手方向の一端部分から切り欠かれた状態で穿設されている。このため、補給中継タンクを設けた遊技島台の上面開口を天井板で被覆する際には、平坦面部の切欠開口を補給中継タンクに外嵌して取り付けることができるので、補給中継タンクの配置部分となる上面開口を被覆するための部材を別途設ける必要がない。
【手続補正８】
【補正対象書類名】明細書
【補正対象項目名】００１２
【補正方法】変更
【補正の内容】
【００１２】
また、請求項２の発明においては、平坦面部材と突出部材との組み付けによって天井板を構成して、遊技島台の内部で発生した熱を、平坦面部材の複数の開口から突出部材の放熱穴を通して遊技島台の外部に放出する。この構成において、突出部材は、突出部の両側壁が平坦面部材の取付凸部と嵌合されて平坦面部材に着脱自在に取り付けられる。このため、遊技島台の上面側から島台内部を点検する際には、平坦面部材から突出部材を取り外して平坦面部材の複数の開口を通して島台内部を点検することができるので、点検作業を容易に行うことができる。
【手続補正９】
【補正対象書類名】明細書
【補正対象項目名】００１３
【補正方法】変更
【補正の内容】
【００１３】
また、請求項３の発明においては、左右の平板及び連結板からなる平坦面部材と突出部材との組み付けによって天井板を構成して、遊技島台の内部で発生した熱を、連結板の複数の開口から突出部材の放熱穴を通して遊技島台の外部に放出する。この構成において、突出部材は、突出部の両側壁が左右の平板及び連結板によって形成される断面凹部分に内嵌して着脱自在に取り付けられる。このため、遊技島台の上面側から島台内部を点検する際には、平坦面部材から突出部材を取り外して連結板の複数の開口を通して島台内部を点検することができるので、点検作業を容易に行うことができる。また、この構成によれば、直方体状の遊技島台の短手方向の幅寸法に応じて左右の平板の幅寸法を変更するだけで、天井板の幅寸法を遊技島台に合わせることができるので、簡単な幅寸法の変更によって様々な幅寸法の遊技島台に対応し得る天井板の構成とすることができる。
【手続補正１０】
【補正対象書類名】明細書
【補正対象項目名】００１４
【補正方法】削除
【補正の内容】